(57)【要約】【課題】壁面と階段用滑り止めとの間の隙間を塞ぐ端部キャップ部材の金台への取り付けを容易かつ確実することのできる階段用滑り止めの端部キャップ部材を提供する。【解決手段】一端側が滑り止め本体３０の長手方向端部の上面を覆い、他端側が壁面４に当接可能な上面部５１と、上面部の一側から屈曲されて金台２０の蹴込み部面側を覆う垂下部５２と、上面部の下面側の一側から垂下されて狭隘開口溝２３の一方の縁部２３ａに係止可能な第１の係止脚部５４ａと、上面部の下面側の他側から垂下されて狭隘開口溝２３の他方の縁部２３ｂに弾性力の付勢により係止可能な第２の係止脚部５５ａと、上面部の下面側で滑り止め本体を覆う覆い部５６を残した領域に設けられ狭隘開口溝の底面に当接可能な補強脚部５７と、を具備する。【選択図】図１
2014163206.tif 000002
【特許請求の範囲】
【請求項１】
階段の踏面と蹴込み面に被着され、踏面側の上面に長手方向に沿う狭隘開口溝を有する金台と、該金台の狭隘開口溝に嵌装される滑り止め本体とを有する階段用滑り止めの長手方向の端部に取り付けられる階段用滑り止めの端部キャップ部材であって、
一端側が上記滑り止め本体の長手方向端部の上面を覆い、他端側が壁面に当接可能な上面部と、
該上面部の一側から屈曲されて上記金台の蹴込み部面側を覆う垂下部と、
上記上面部の下面側の一側から垂下されて上記狭隘開口溝の一方の縁部に係止可能な第１の係止脚部と、
上記上面部の下面側の他側から垂下されて上記狭隘開口溝の他方の縁部に弾性力の付勢により係止可能な第２の係止脚部と、
上記上面部の下面側で上記滑り止め本体の覆い部を残した領域に設けられ上記狭隘開口溝の底面に当接可能な補強脚部と、
を具備してなることを特徴とする階段用滑り止めの端部キャップ部材。
【請求項２】
請求項１に記載の階段用滑り止めの端部キャップ部材において、
上記第１の係止脚部は、上記狭隘開口溝の上記金台垂下部と反対側の縁部に係止可能な外向き係止突起を有し、
上記第２の係止脚部は弾性変形可能に形成されると共に、上記狭隘開口溝の上記金台垂下部側の縁部に係止可能な膨隆円弧状の係止突起を有する、ことを特徴とする階段用滑り止めの端部キャップ部材。
【請求項３】
請求項１に記載の階段用滑り止めの端部キャップ部材において、
上記上面部における壁面当接側端部の下端角部を円弧状に形成してなることを特徴とする階段用滑り止めの端部キャップ部材。
【発明の詳細な説明】
【技術分野】
【０００１】
この発明は、階段の踏面と蹴込み面に被着される階段用滑り止めの長手方向の端部と壁面との隙間を塞ぐ階段用滑り止めの端部キャップ部材に関するものである。
【背景技術】
【０００２】
従来から、階段からの滑落を防止するために、合成ゴム製の滑り止め充填材を嵌装した階段用滑り止めが階段の踏面と蹴込み面に被着されている。この階段用滑り止めの長手方向の端部には、掃除の際のゴミ等の掃き出しや美観のために端部キャップ部材が設けられている。
【０００３】
一般に、階段用滑り止めの階段への被着は、階段の寸法に合わせて切断された金台を階段に被着し、金台に滑り止め充填材を嵌装した後に、金台に端部キャップ部材を取り付けることで行われている。このとき、金台の長さが階段の幅よりも短くなると金台と階段両側の間に隙間が生じる。
【０００４】
金台と階段両側の間に生じる隙間を防止する方法として、階段の幅に合わせて建築現場で切断した金台を階段の踏面に被着させる方法が知られている。しかしながら、金台を切断するためには特殊な工具が必要になる。また、金台の切断に伴って切粉が飛散するため、切断作業を屋外でする必要が生じる。そのため、現場での金台の切断により、多くの手間やコストが生じる。
【０００５】
上記の問題に対応する見切り部材（端部キャップ部材）として、滑り止め充填材(滑り止め本体)を装着した滑り止め枠体（金台）の側端部寄りを覆い得る上板部と、摺動可能に滑り止め枠体の蹴込み面側の前縁部と該前縁部と対向する側の後縁部を各々係合する前縁部と後縁部を有する見切り部材が知られている（例えば、特許文献１参照）。
【０００６】
特許文献１に記載のものは、滑り止め枠体の側端部寄りを覆った状態で見切り部材を滑り止め枠体に対して摺動させることができるため、滑り止め枠体の長さを階段の幅より短く切断したとしても、見切り部材を壁際の方へ移動させることで、壁と滑り止め枠体との隙間を生じないようにすることができる。
【先行技術文献】
【特許文献】
【０００７】
【特許文献１】実開平５−８３１４５号公報（実用新案登録請求の範囲、図１，図２）
【発明の概要】
【発明が解決しようとする課題】
【０００８】
しかしながら、特許文献１に記載のものにおいては、見切り部材（端部キャップ部材）を滑り止め枠体（金台）に摺動可能に係合して取り付ける構造であるため、滑り止め枠体（金台）を階段に取り付けた後には、見切り部材（端部キャップ部材）の取り付けが容易でない。また、滑り止め本体への取り付けを容易にするためには、係合用横溝の幅や深さを前縁部及び後縁部に対して大きくする必要があるが、滑り止め本体と見切り部材との係合が不充分となる虞がある。また、取付の強度をもたせるために係合用横溝の幅や深さを前縁部及び後縁部と同程度にすると、滑り止め本体への装着が困難になる虞がある。
【０００９】
この発明は、上記事情に鑑みてなされたもので、壁面と階段用滑り止めとの間の隙間を塞ぐ端部キャップ部材の金台への取り付けを容易かつ確実することのできる階段用滑り止めの端部キャップ部材を提供することを目的とする。
【課題を解決するための手段】
【００１０】
上記課題を解決するために、この発明に係る階段用滑り止めの端部キャップ部材は、階段の踏面と蹴込み面に被着され、踏面側の上面に長手方向に沿う狭隘開口溝を有する金台と、該金台の狭隘開口溝に嵌装される滑り止め本体とを有する階段用滑り止めの長手方向の端部に取り付けられる階段用滑り止めの端部キャップ部材であって、  一端側が上記滑り止め本体の長手方向端部の上面を覆い、他端側が壁面に当接可能な上面部と、  該上面部の一側から屈曲されて上記金台の蹴込み部面側を覆う垂下部と、  上記上面部の下面側の一側から垂下されて上記狭隘開口溝の一方の縁部に係止可能な第１の係止脚部と、  上記上面部の下面側の他側から垂下されて上記狭隘開口溝の他方の縁部に弾性力の付勢により係止可能な第２の係止脚部と、  上記上面部の下面側で上記滑り止め本体の覆い部を残した領域に設けられ上記狭隘開口溝の底面に当接可能な補強脚部と、を具備してなることを特徴とする（請求項１）。
【００１１】
このように構成することにより、金台に設けられた狭隘開口溝の一方の縁部に第１の係止脚部を係止し、狭隘開口溝の他方の縁部に弾性力の付勢により第２の係止脚部を係止することができる。
【００１２】
また、上面部の下面側で滑り止め本体の覆い部を残した領域に、狭隘開口溝の底面に当接可能な補強脚部を設けることで、上方から上面部にかかる荷重に対して端部キャップ部材が変形するのを防止することができる。
【００１３】
この発明において、上記第１の係止脚部は、上記狭隘開口溝の上記金台垂下部と反対側の縁部に係止可能な外向き係止突起を有し、上記第２の係止脚部は弾性変形可能に形成されると共に、上記狭隘開口溝の上記金台垂下部側の縁部に係止可能な膨隆円弧状の係止突起を有するのが好ましい（請求項２）。
【００１４】
このように構成することにより、第１の係止脚部に設けられた外向き係止突起を、狭隘開口溝の金台垂下部と反対側の縁部に係止した後、第２の係止脚部は設けられた膨隆円弧状の係止突起を狭隘開口溝の金台垂下部側の縁部に弾性力を付勢して係止することができる。
【００１５】
また、この発明において、上記上面部における壁面当接側端部の下端角部を円弧状に形成するのがよい（請求項３）。
【００１６】
このように構成することにより、壁面と踏面との角部の盛り上がりを回避して端部キャップ部材を取り付けることができる。
【発明の効果】
【００１７】
この発明によれば、上記のように構成されているので、以下のような効果が得られる。
【００１８】
（１）請求項１に記載の発明によれば、金台に設けられた狭隘開口溝の一方の縁部に第１の係止脚部を係止し、狭隘開口溝の他方の縁部に弾性力の付勢により第２の係止脚部を係止することができるので、金台への端部キャップ部材の取り付けを容易にすることができると共に、確実にすることができる。
【００１９】
また、上方から上面部にかかる荷重に対して端部キャップ部材が変形するのを防止することができるので、強度をもたせることができる。
【００２０】
（２）請求項２に記載の発明によれば、第１の係止脚部に設けられた外向き係止突起を、狭隘開口溝の金台垂下部と反対側の縁部に係止した後、第２の係止脚部は設けられた膨隆円弧状の係止突起を狭隘開口溝の金台垂下部側の縁部に弾性力を付勢して係止することができるので、上記（１）に加えて更に取り付けを容易にすることができると共に、係止部に強度をもたせることができる。
【００２１】
（３）請求項３に記載の発明によれば、壁面と踏面との角部の盛り上がりを回避して端部キャップ部材を取り付けることができるため、端部キャップを壁面に密着させることができる。
【図面の簡単な説明】
【００２２】
【図１】この発明に係る階段用滑り止めの端部キャップ部材を階段の踏面と蹴込み面に被着された階段用滑り止めに取り付けた状態を示す断面斜視図（ａ）、及び（ａ）のＡ−Ａ線拡大断面図（ｂ）である。
【図２】上記階段用滑り止めの分解斜視図である。
【図３】上記端部キャップ部材を示す斜視図である。
【図４】上記端部キャップ部材を示す側面図（ａ）、背面図（ｂ）、及び（ｂ）のＩ部拡大図（ｃ）である
【図５Ａ】金台を階段の踏面と蹴込み面に被着した状態を示す断面斜視図である。
【図５Ｂ】金台に滑り止め本体を嵌装した状態を示す断面斜視図である。
【図５Ｃ】滑り止め本体を嵌装した金台に端部キャップ部材を取り付ける状態を示す断面斜視図である。
【図５Ｄ】滑り止め本体を嵌装した金台に端部キャップ部材を取り付けた状態を示す断面斜視図である。
【図６Ａ】金台に端部キャップを取り付ける前の状態を示す断面図である。
【図６Ｂ】端部キャップ部材の第１の係止脚部が狭隘開口溝の一方の縁部に係止される状態を示す断面図である。
【図６Ｃ】端部キャップ部材の第２の係止脚部が狭隘開口溝の他方の縁部に係止される直前の状態を示す断面図である。
【図６Ｄ】第１の係止脚部及び第２の係止脚部が狭隘開口溝の両方の縁部に係止された状態を示す断面図である。
【図７】階段用滑り止めの端部と壁部の距離が近接している状態で金台に端部キャップ部材を嵌装した状態を示す部分平面図（ａ）、階段用滑り止めの端部と壁部の距離が離隔している状態で金台に端部キャップ部材を嵌装した状態を示す部分平面図（ｂ）である。
【図８】この発明における補強脚部、覆い部及び壁面当接側端部の長さの関係を示す端部キャップ部材の背面図である。
【発明を実施するための形態】
【００２３】
以下に、この発明に係る階段滑り止め部材の用端部キャップの実施形態を添付図面に基づいて詳細に説明する。
【００２４】
図１，図２に示すように、階段１の踏面２と蹴込み面３に被着される階段用滑り止め１０は、踏面２に載置（被着）される金台上面部２１と、金台上面部２１の長手方向に沿う一側から屈曲されて蹴込み面３を覆う金台垂下部２２と、金台上面部２１の上面に長手方向に沿って設けられる狭隘開口溝２３を有する金台２０と、狭隘開口溝２３の両縁部２３ａ，２３ｂに嵌装される合成樹脂製又は合成ゴム製の滑り止め本体３０とで構成されている。また、階段用滑り止め１０の長手方向の端部にはこの発明に係る端部キャップ部材５０が取り付けられる。
【００２５】
この場合、狭隘開口溝２３は金台上面部２１の上面の長手方向の両側に内向き湾曲状の縁部２３ａ，２３ｂを有する。
【００２６】
滑り止め本体３０は、長手方向に沿う両端に、狭隘開口溝２３の縁部２３ａ，２３ｂと嵌合可能な嵌合突部３１ａ，３１ｂが設けられている。また、滑り止め本体３０の上面には、長手方向に沿って３列の滑り止め用の凹溝３２が形成されている。
【００２７】
端部キャップ部材５０は、一端側に滑り止め本体３０の長手方向端部３３の上面を覆う覆い部５６を有し、他端側に壁面４に当接可能な壁面当接側端部５８を有する上面部５１と、上面部５１の一側から屈曲されて金台２０の蹴込み部面側を覆う垂下部５２と、上面部５１の下面側の一側から垂下されて狭隘開口溝２３の一方の縁部２３ａに係止可能な第１の係止脚部５４と、上面部５１の下面側の他側から垂下されて狭隘開口溝２３の他方の縁部２３ｂに弾性力の付勢により係止可能な第２の係止脚部５５と、上面部５１の下面側で滑り止め本体３０の覆い部５６を残した領域に設けられ狭隘開口溝２３の底面に当接可能な補強脚部５７と、を具備する。また、上面部５１の他側には先端に向かって下り勾配の傾斜片５３が形成されている。
【００２８】
この場合、第１の係止脚部５４の下端には、狭隘開口溝２３の一方の縁部、すなわち金台垂下部２２と反対側の縁部２３ａに摺動可能に係止される外向き係止突起５４ａが形成されている。また、第２の係止脚部５５は弾性変形可能に形成されると共に、下端には狭隘開口溝２３の他方の縁部、すなわち金台垂下部２２側の縁部２３ｂに摺動可能に係止される膨隆円弧状の係止突起５５ａが形成されている。
【００２９】
また、補強脚部５７は、上面部５１の覆い部５６を残した領域に、一端側から他端側に沿う平行な複数例えば３個のリブにて形成されている。なお補強脚部５７は、必ずしも端部キャップ部材５０の一端側から他端側に沿うリブである必要はなく、端部キャップ部材５０の一端側から他端側に沿う方法と直交あるいは交差する方向に垂下されるリブであってもよい。
【００３０】
上面部５１の覆い部５６を残した領域における覆い部５６と反対側の端部には、壁面４に当接可能な壁面当接側端部５８が垂下されている。この壁面当接側端部５８の下端は、第１の係止脚部５４、第２の係止脚部５５及び補強脚部５７の下端よりも下側になるように形成されている。また、壁面４に当接される壁面当接側端部５８の下端角部５８ａは円弧状に形成されている。このように、壁面当接側端部５８の壁面４側の下端角部５８ａを円弧状に形成することにより、壁面４と踏面２との角部の盛り上がりを回避して端部キャップ部材５０を取り付けることができる。
【００３１】
次に、階段用滑り止め１０と端部キャップ部材５０の施工方法について説明する。まず図５Ａに示すように、階段１の踏面２と蹴込み面３に金台２０を被着する。この場合、金台２０は、予め階段の幅寸法に対応する所定寸法に切断され、長手方向の寸法は踏面２の長手方向の寸法よりも少し短くなるように形成されている。したがって、金台２０と壁面４との間に隙間５が生じる。
【００３２】
次に、図２及び図５Ｂに示すように、嵌合突部３１ａ，３１ｂを狭隘開口溝２３の縁部２３ａ，２３ｂに嵌合させて、滑り止め本体３０を金台２０に嵌装する。この場合、滑り止め本体３０の長手方向の寸法は、端部キャップ部材５０の嵌合代を設けるべく金台２０の長手方向の寸法よりも少し短くなるように形成されており、滑り止め本体３０は金台２０の両端部を除いて嵌装される。
【００３３】
次に、図４（ａ），図５Ｃ，図５Ｄに示すように、第１の係止突起５４ａ，第２の係止突起５５ａ端部を滑り止め本体３０の嵌合されていない狭隘開口溝２３の縁部２３ａ，２３ｂに嵌合させて、端部キャップ部材５０を金台２０に取り付ける。
【００３４】
端部キャップ部材５０を金台２０に取り付ける手順は、図６Ａ，図６Ｂ，図６Ｃに示すように、金台２０の上方から上面部５１を幅方向に傾斜させた状態で、第１の係止脚部５４の外向き係止突起５４ａを狭隘開口溝２３の一方すなわち金台垂下部２２と反対側の縁部２３ａに挿入して係止する。次に、上面部５１の傾斜上方側に荷重をかけて金台２０に押し込むと、第２の係止脚部５５が弾性変形して係止突起５５ａが狭隘開口溝２３の他方すなわち金台垂下部２２側の縁部２３ｂの開口端を乗り越えた後、弾性力の付勢により縁部２３ｂに係止する。
【００３５】
上記のようにして、端部キャップ部材５０を金台２０に取り付ける。この状態で、図７（ａ），図７（ｂ）に示すように、覆い部５６が階段用滑り止め１０の端部の上面を覆う。また、端部キャップ部材５０を壁面４側に移動して壁面当接側端部５８を壁面４に当接する。この場合、端部キャップ部材５０は、壁面当接側端部５８が左右に異なる２種類のものが用意されており、施工状況に応じて選択して使用される。また図８に示すように、端部キャップ部材５０の寸法を、例えば覆い部５６の長さＬ１：１５ｍｍ、壁面当接側端部５８の長さＬ２：５ｍｍ、第１の係止脚部５４及び補強脚部５５の長さＬ３：６０ｍｍ、全体の長さＬ：８０ｍｍのものを用意しておけば、金台２０の端部，滑り止め本体３０の端部と壁面４との隙間５が１０〜５０ｍｍの範囲のものに対応できる。
【００３６】
上記実施形態に係る階段用滑り止め１０の端部キャップ部材５０によれば、上面部５１の一端側の覆い部５６で滑り止め本体３０の長手方向端部３３の上面を覆い、他端側の壁面当接側端部５８が壁面４に当接するため、金台２０の長さを階段１の幅より短く切断したとしても、壁面４と金台２０との間の隙間を生じないようにすることができる。また、夏期と冬期の温度差によって滑り止め本体３０が伸縮した場合においても、滑り止め本体３０の端部を外部から目隠しすることができる。
【００３７】
また、第１の係止脚部５４の外向き係止突起５４ａを狭隘開口溝２３の一方すなわち金台垂下部２２と反対側の縁部２３ａに係止した後、第２の係止脚部５５の係止突起５５ａを狭隘開口溝２３の他方すなわち金台垂下部２２側の縁部２３ｂに係止することで、端部キャップ部材５０の金台２０への取り付けを容易にすることができると共に、係止部に強度をもたせることができる。
【００３８】
また、上面部５１の下面側で滑り止め本体３０を覆う覆い部５６を残した領域に、狭隘開口溝２３の底面に当接可能な補強脚部５７が設けることで、上方から上面部にかかる荷重に対して端部キャップ部材が変形するのを防止することができ、端部キャップ部材５０の強度の向上を図ることができる。
【００３９】
また、壁面当接側端部５８の下端角部５８ａが円弧状に形成されているため、壁面４と踏面３との角部の盛り上がり部を回避して端部キャップ部材５０を取り付けることができ、端部キャップ５０を壁面４に密着させることができる。
【符号の説明】
【００４０】
１  階段
２  踏面
３  蹴込み面
４  壁面
１０  階段用滑り止め
２０  金台
２１  金台上面部
２２  金台垂下部
２３  狭隘開口溝
２３ａ，２３ｂ  縁部
３０  滑り止め本体
５０  端部キャップ部材
５１  上面部
５２  垂下部
５４  第１の係止脚部
５４ａ  外向き開始突起
５５  第２の係止脚部
５５ａ  係止突起
５６  覆い部
５７  補強脚部
５８  壁面当接側端部
５８ａ  下端角部
【図１】
2014163206.tif 000003
【図２】
2014163206.tif 000004
【図３】
2014163206.tif 000005
【図４】
2014163206.tif 000006
【図５Ａ】
2014163206.tif 000007
【図５Ｂ】
2014163206.tif 000008
【図５Ｃ】
2014163206.tif 000009
【図５Ｄ】
2014163206.tif 000010
【図６Ａ】
2014163206.tif 000011
【図６Ｂ】
2014163206.tif 000012
【図６Ｃ】
2014163206.tif 000013
【図６Ｄ】
2014163206.tif 000014
【図７】
2014163206.tif 000015
【図８】
2014163206.tif 000016